(57)【要約】【課題】  表示モードの切換設定に連動して適切な画面輝度に制御することにより、テレビジョン放送番組映像、文字入力画面映像（インターネットブラウザ画面、電子メールブラウザ画面、或いはソフトウェアキーボード画面など）のそれぞれについてより見易い画像表示を実現するとともに、消費電力を低減することが可能な画像表示装置を提供する。【解決手段】  テレビジョン映像を表示するモードと、文字を入力する画面の映像を表示するモードとを切換可能に構成された画像表示装置において、前記モードの切換指示に連動して、バックライト光源１０の発光輝度を可変制御することにより、各モードで適切な画面輝度を得る。【選択図】  図１
2006215220.tif 000002
【特許請求の範囲】
【請求項１】
テレビジョン映像を表示するモードと、文字を入力する画面の映像を表示するモードとを切換可能に構成された画像表示装置において、
前記モードの切り換えに応じて、画面輝度を可変制御する制御手段を設けたことを特徴とする画像表示装置。
【請求項２】
前記制御手段は、入力映像信号を表示する受光型光変調手段の背面から光を照射するバックライト光源の発光強度を可変するものであることを特徴とする前記請求項１に記載の画像表示装置。
【請求項３】
前記制御手段は、テレビジョン映像を表示するモードから、文字を入力する画面の映像を表示するモードへ切り換わるときの、画面輝度の変化速度を遅くすることを特徴とする前記請求項１または２に記載の画像表示装置。
【請求項４】
ユーザによる画面切換指示に基づいて、前記テレビジョン映像を表示するモードと、前記文字を入力する画面の映像を表示するモードとが切り換えられることを特徴とする前記請求項１乃至３のいずれかに記載の画像表示装置。
【請求項５】
前記文字を入力する画面は、インターネットブラウザ画面であることを特徴とする前記請求項１乃至４のいずれかに記載の画像表示装置。
【請求項６】
前記文字を入力する画面は、電子メールブラウザ画面であることを特徴とする前記請求項１乃至４のいずれかに記載の画像表示装置。
【請求項７】
前記文字を入力する画面は、ソフトウェアキーボード画面であることを特徴とする前記請求項１乃至４のいずれかに記載の画像表示装置。
【請求項８】
テレビジョン映像を表示するモードと、文字を入力する画面の映像を表示するモードとを切り換えるステップと、
前記モードの切り換えに応じて、画面輝度を可変制御するステップとを有することを特徴とする画像表示方法。
【発明の詳細な説明】
【技術分野】
【０００１】
本発明は、テレビジョン番組映像画面と文字入力画面とを切換選択して表示することが可能な画像表示装置に関するものである。
【背景技術】
【０００２】
従来から、モデム等の通信手段を介してインターネットと接続し、通常のテレビジョン映像に加えて、インターネットブラウザ画面や電子メールブラウザ画面などのコンピュータ映像を表示可能としたテレビジョン受像機（例えば、特開平１１−３０６１１７号公報、特開２００２−１９９２４４号公報など）が提案・開発されている。
【０００３】
また、上述のインターネットブラウザ画面や電子メールブラウザ画面などに文字を入力するために、五十音表やアルファベット表などを含むソフトウェアキーボードを画面表示し、リモートコントロール装置（リモコン）を操作することにより、所望の文字や記号を入力することが可能なテレビジョン受像機（例えば、特開平１１−３０８５４４号公報など）が提案・開発されている。
【０００４】
このような従来のテレビジョン受像機の概略構成を図６に示す。図６において、１はアンテナで受信されたテレビ放送電波から希望するチャンネルを選局するチューナ、２は前記チューナ１で選局されたテレビ受信信号（コンポジット信号）を輝度信号Ｙと色信号Ｃと（ＹＣセパレート信号）に分離して、Ｒ、Ｇ、Ｂ各原色信号に変換して出力するテレビ信号処理部、３は通信回線を介してプロバイダのサーバ経由でインターネットに接続する、所謂ダイヤルアップ接続機能を有するインターネット処理部である。
【０００５】
４は図示しないリモコンからユーザが指示入力した指示信号を受信するリモコン受光部、５は該リモコン受光部４で受信した指示信号を検出・解析し、チューナ１、テレビ信号処理部２などの各部に対して所定の制御信号を出力するマイコンである。また、マイコン５は、ユーザの操作指示に基づいて、インターネット処理部３を制御してインターネットに接続し、所望のＵＲＬ（Uniform Resource Locator）からコンテンツデータを取り込み、Ｒ、Ｇ、Ｂ映像信号に変換して出力したり、電子メールのデータ送受信を行う。
【０００６】
６はテレビ信号処理部２で得られたＲ、Ｇ、Ｂ信号（テレビジョン映像信号）とマイコン５から出力されたＲ、Ｇ、Ｂ信号とを、選択的に切換又は合成して出力する切換／合成処理部であり、マイコン５により切換／合成制御がなされる。
【０００７】
例えば、ユーザによるリモコンの操作により、「インターネット」が選択指示された場合、マイコン５はインターネット処理部３を制御し、インターネットに接続して双方向で通信を行うとともに、図７に示すようなインターネットブラウザ画面を表示するように切換／合成部６を制御する。
【０００８】
同様に、ユーザによるリモコンの操作により、「電子メール」が選択指示された場合、マイコン５は図８に示すような電子メールブラウザ画面を表示するように切換／合成部６を制御するとともに、インターネット処理部３を制御し、インターネットに接続して電子メールの送受信を行う。
【０００９】
さらに、インターネットブラウザ画面や電子メールブラウザ画面が表示された状態で文字入力を行うために、ユーザがリモコンを操作して、「ソフトウェアキーボード」の呼び出しを指示した場合、マイコン５は内蔵メモリ（図示せず）から所定の映像信号を出力し、図９に示すようなソフトウェアキーボード画面を表示するように切換／合成部６を制御する。ユーザは図示しない表示部で表示されたソフトウェアキーボード画面を見ながら、リモコンを操作することにより、簡単に文字入力を行うことができる。尚、ソフトウェアキーボードを用いることなく、各種入力手段を用いて直接、インターネットブラウザ画面や電子メールブラウザ画面に文字を入力しても良い。
【００１０】
通常、上記のようなインターネット接続機能を有するテレビジョン受像機において、ブラウザソフトを起動させた場合には、ブラウザ画面が表示されて、一般のテレビジョン放送番組の画面は表示されない。また、上記のようなソフトウェアキーボード画面を表示する場合にも、通常のテレビジョン放送番組の画面は表示されない。
【００１１】
一方、近年になって、冷陰極管（ＣＲＴ）に代わり、受光型光変調手段として液晶パネルを用いて画像を表示する装置（以下、液晶表示装置と称す）が、テレビジョン受像機やコンピュータ装置等の画像表示に広く使用されるようになってきた。液晶表示装置は、電極の設けられた２枚の透明基板の間に液晶を封入し、マトリックス状に配置された駆動電極単位に電圧を制御することによって、液晶分子の集団や配向を制御し、透明基板の背面に設けられたバックライト光源からの照射光の透過率を変化させることによって、液晶パネルに画像を表示するものである。
【特許文献１】特開平１１−３０６１１７号公報
【特許文献２】特開２００２−１９９２４４号公報
【特許文献３】特開平１１−３０８５４４号公報
【発明の開示】
【発明が解決しようとする課題】
【００１２】
ところで、一般的に、コンピュータ映像を表示するためのパソコン（ＰＣ）モニターにおいは２５０ｃｄ／ｍ2前後の画面輝度で十分であるのに対し、テレビジョン受像機では４５０〜５００ｃｄ／ｍ2以上が必要であり、特に液晶表示装置を用いたテレビジョン受像機（液晶テレビジョン受像機）においては、バックライトなどの改良によって高輝度化が進められている。
【００１３】
基本的に、バックライト光源の輝度レベル（発光強度）は、ユーザが手動操作調整（調光）する内容に固定的に設定されており、表示する入力映像信号の種別とは無関係に一定輝度である。従って、テレビジョン映像表示用に高輝度設定されたテレビジョン受像機で、インターネットブラウザ画面、電子メールブラウザ画面、或いはソフトウェアキーボード画面などのどちらかというとコンピュータ映像に近い、文字入力が必要な静止画映像を表示した場合、画面輝度が高すぎてギラギラした表示となり、長時間これを視聴した場合、ユーザの目が疲れやすいという問題があった。
【００１４】
また、大画面の液晶表示装置における消費電力は、その大部分がバックライトユニットの消費電力で占められており、環境負荷軽減の面からも、このバックライトユニットでの不必要な消費電力を減少することが望まれている。
【００１５】
本発明は、上記課題に鑑みてなされたものであり、表示モードの切換設定に連動して適切な画面輝度に制御することにより、テレビジョン映像、文字を入力する画面の映像のそれぞれについてより見易い画像表示を実現するとともに、消費電力を低減することが可能な画像表示装置を提供するものである。
【課題を解決するための手段】
【００１６】
本願の第１の発明は、テレビジョン映像を表示するモードと、文字を入力する画面の映像を表示するモードとを切換可能に構成された画像表示装置において、前記モードの切り換えに応じて、画面輝度を可変制御する制御手段を設けたことを特徴とする。
【００１７】
本願の第２の発明は、前記制御手段が、入力映像信号を表示する受光型光変調手段の背面から光を照射するバックライト光源の発光強度を可変するものであることを特徴とする。
【００１８】
本願の第３の発明は、前記制御手段が、テレビジョン映像を表示するモードから、文字を入力する画面の映像を表示するモードへ切り換わるときの、画面輝度の変化速度を遅くすることを特徴とする。
【００１９】
本願の第４の発明は、ユーザによる画面切換指示に基づいて、前記テレビジョン映像を表示するモードと、前記文字を入力する画面の映像を表示するモードとが切り換えられることを特徴とする。
【００２０】
本願の第５の発明は、前記文字を入力する画面が、インターネットブラウザ画面であることを特徴とする。
【００２１】
本願の第６の発明は、前記文字を入力する画面が、電子メールブラウザ画面であることを特徴とする。
【００２２】
本願の第７の発明は、前記文字を入力する画面が、ソフトウェアキーボード画面であることを特徴とすることを特徴とする。
【００２３】
本願の第８の発明は、テレビジョン映像を表示するモードと、文字を入力する画面の映像を表示するモードとを切り換えるステップと、前記モードの切り換えに応じて、画面輝度を可変制御するステップとを有することを特徴とする。
【発明の効果】
【００２４】
本発明の画像表示装置によれば、テレビジョン映像を表示するモードと、文字を入力する画面の映像を表示するモードとの切り換えに応じて、適切な画面輝度となるように制御するので、例えば、文字を入力する画面の映像を表示する場合は、テレビジョン映像を表示する場合に比べて、画面輝度を抑制することにより、見易く目が疲れない画面表示を行うとともに、消費電力の低減を実現することが可能となる。
【発明を実施するための最良の形態】
【００２５】
以下、本発明の画像表示装置の一実施形態を、例えば液晶テレビジョン受像機（液晶テレビ）について、図１乃至図５とともに詳細に説明するが、上記従来例と同一部分には同一符号を付し、その説明は省略する。ここで、図１は本実施形態の液晶テレビの概略構成を示すブロック図、図２は本実施形態の液晶テレビにおける動作制御を示すフローチャート、図３は本実施形態の液晶テレビにおける動作制御を示す説明図、図４は本実施形態の液晶テレビにおける動作制御を示すフローチャート、図５は本実施形態の液晶テレビにおける他の動作制御を示す説明図である。
【００２６】
本実施形態の液晶テレビは、図１に示すように、切換／合成処理部６より出力されたＲ、Ｇ、Ｂ信号（画像表示信号）に基づいて、液晶表示パネル８のソースライン及びゲートラインを駆動制御するＬＣＤ駆動部７と、マイコン５からのバックライト制御信号に応じて、バックライト光源１０の発光駆動制御を行うインバータ回路等の光源駆動回路９とを備えている。
【００２７】
尚、本実施形態の液晶テレビにおいては、直下型バックライト方式、サイドエッジ型バックライト方式のいずれでも良く、また、光源１０としては、現在一般的に用いられている冷陰極管（ＣＣＦＬ）の他、発光ダイオード（ＬＥＤ）などを用いることができる。また、光源１０の輝度制御方式は、電圧（もしくは電流）制御に限らず、デューティ制御を採用しても良いことは言うまでもない。
【００２８】
すなわち、マイコン５は、ユーザ設定指示に応じて、液晶表示パネル８に表示すべき画面を適宜切り換え出力するとともに、光源駆動部９によるバックライト光源１０の明るさ（発光輝度）などの制御を行う。従って、本実施形態の液晶テレビにおいては、ユーザ設定指示に基づいて、通常のテレビジョン映像を表示するモードと、インターネットブラウザ画面、電子メールブラウザ画面、ソフトウェアキーボード画面などの文字を入力する画面の映像を表示するモードとを切り換えることが可能であり、前記モードの切り換えに連動して、光源駆動部９を制御することにより、バックライト光源１０の発光強度すなわち画面輝度を可変制御することが可能に構成されている。
【００２９】
次に、本実施形態の液晶テレビにおける画面輝度の制御動作を、図２のフローチャートとともに説明する。まず、ユーザが図示しないリモートコントロール装置（リモコン）を操作して、通常のテレビジョン映像を表示するモードと、インターネットブラウザ画面、電子メールブラウザ画面、ソフトウェアキーボード画面などの文字を入力する画面の映像を表示するモードとを切り換える指示（画面切換指示＝機能切換指示）がなされると（ステップ１）、いずれのモードが選択指示されたのかを判別する（ステップ２）。
【００３０】
そして、通常のテレビジョン放送番組に係る映像を表示するモードが選択されたと判定した場合、バックライト光源１０の発光輝度レベルがＡ（Ａは予め設定された値）になるように、マイコン５から光源駆動部９に制御信号を出力する（ステップ３）。
【００３１】
一方、「インターネット」、「電子メール」の機能選択指示がなされた場合、或いは「ソフトウェアキーボード」の呼び出しが指示された場合は、通常のテレビジョン放送番組の画面から、インターネットブラウザ画面、電子メールブラウザ画面、或いはソフトウェアキーボード画面に切り換えて表示がなされ、文字を入力する画面の映像を表示するモードが選択されたと判定する。
【００３２】
この場合、バックライト光源１０の発光輝度レベルがＢ（Ｂは予め設定された値であり、Ｂ＜Ａ）になるように、マイコン５から光源駆動部９に制御信号を出力する（ステップ４）。
【００３３】
以上のように、本実施形態においては、ユーザによる画面切換指示（機能選択設定）によって、テレビジョン映像を表示するモードと、文字を入力する画面の映像を表示するモードとを切り換え、このモード切換動作に応じて、適切な画面輝度となるように光源１０の発光輝度を制御し、特にインターネットブラウザ画面、電子メールブラウザ画面、ソフトウェアキーボード画面などの文字を入力する画面の映像を表示する場合は、通常のテレビジョン映像を表示する場合に比べて、画面輝度を抑制することにより、見易く目が疲れない画面表示を行うとともに、消費電力の低減を実現することが可能となる。
【００３４】
ところで、上述のような機能切換（表示画面切換）と同時に、急激に画面輝度を変化させた場合、特にテレビジョン映像を表示するモードから、インターネットブラウザ画面、電子メールブラウザ画面、ソフトウェアキーボード画面などの文字を入力する画面の映像を表示するモードへ切り換えた際に、急激に画面輝度が低下すると、ユーザに違和感を与えることとなる。
【００３５】
従って、本実施形態においては、図３に示すように、テレビジョン放送番組映像を表示するモードから文字を入力する画面の映像を表示するモードへの切換指示がなされた時点Ｔ１から、実際に画面輝度レベルがＢに到達するまで十分な時間ｔを掛けて、画面輝度の変化速度を遅くする（時定数を大きくし、ゆっくりと画面輝度を変化させる）ことにより、画面輝度の変化がユーザに与える違和感を緩和している。
【００３６】
尚、文字を入力する画面の映像を表示するモードからテレビジョン放送番組映像を表示するモードへ切り換わる際に画面輝度が増大しても、それほどユーザに違和感を与えることはないので、文字を入力する画面の映像を表示するモードからテレビジョン放送番組映像を表示するモードへの切換指示がなされた時点Ｔ２から、実際に画面輝度レベルがＡに到達するまでの時間は短くして、即座に高輝度のテレビジョン映像を提示するのが望ましい。
【００３７】
また、本実施形態においては、表示画面モードに連動した画面輝度の自動制御に加えて、ユーザによる画面輝度の調整制御も可能としている。これについて、図４のフローチャートとともに説明する。図示しないリモコンの調光キーが押圧されて、ユーザによる調光の指示が検出される（ステップ１）と、画面端部へ調光設定用ＯＳＤ（On Screen Display）表示が行われ、この状態において、ユーザは調光設定用ＯＳＤを見ながらリモコンの上下方向キーを押圧することにより、画面輝度の増大或いは減少のいずれかを指示することが可能である。
【００３８】
リモコンの上方向キーが押圧されて、輝度増加の指示がなされる（ステップ２）と、バックライト光源１０の発光輝度レベルが、その時点での光源輝度レベルに１ステップだけ加算した値となるように、マイコン５から光源駆動部９に制御信号を出力する（ステップ３）。一方、リモコンの下方向キーが押圧されて、輝度減少の指示がなされる（ステップ４）と、バックライト光源１０の発光輝度レベルが、その時点での光源輝度レベルから１ステップだけ減算した値となるように、マイコン５から光源駆動部９に制御信号を出力する（ステップ５）。
【００３９】
これにより、各機能画面表示において自動設定された画面輝度に対し、使用環境や表示映像内容などに応じてユーザが任意に調整を加えることができ、より商品性を高めることが可能となる。
【００４０】
さらに、当該装置の周囲環境の明るさを検出する照度センサーを設け、該照度センサーの検出結果と映像表示モードとから、画面輝度を決定するように構成しても良い。例えば、図５に示すように、テレビジョン放送番組映像を表示するモードにおいて、周囲照度が明るい場合は光源１０の発光輝度レベルをＡ1、周囲照度が標準範囲内の場合は光源１０の発光輝度レベルをＡ2、周囲照度が暗い場合は光源１０の発光輝度レベルをＡ3とし（Ａ1＞Ａ2＞Ａ3）、一方、文字入力画面の映像を表示するモードにおいて、周囲照度が明るい場合は光源１０の発光輝度レベルをＢ1、周囲照度が標準範囲内の場合は光源１０の発光輝度レベルをＢ2、周囲照度が暗い場合は光源１０の発光輝度レベルをＢ3とする（Ｂ1＞Ｂ2＞Ｂ3）。
【００４１】
これにより、視聴環境の明るさに応じて、各画面表示モードにおける最適な画面輝度に自動制御することが可能となるので、より商品性を高めることが可能となる。
【００４２】
尚、上述した本発明の一実施形態においては、所定の文字入力画面として、インターネットブラウザ画面、電子メールブラウザ画面、或いはソフトウェアキーボード画面について説明したが、これに限らず、各種設定値を入力するための設定画面などのように、ユーザが画面を見ながら文字（数字、記号等を含む）の入力を行う項目を含む画面であれば良いことは明らかである。また、ソフトウェアキーボード画面は、テレビ番組検索などを行う際のキーワードを入力するために用いることもできる。
【００４３】
さらに、上述した本発明の一実施形態においては、ユーザによる機能切換指示（画面切換指示）は、リモコンの操作によって行う構成としたが、装置本体に設けられた操作部材（図示せず）の操作によってこれを行う構成としても良いことは言うまでもない。
【００４４】
そしてまた、上記本発明の一実施形態においては、直視型の液晶表示装置について説明したが、本発明は投射型の液晶表示装置に適用しても良く、受光型光変調手段とバックライト光源とを用いて画像表示を行う画像表示装置、或いはその他の画像表示装置に適用しても良いことは明らかである。さらに、テレビ放送受信手段を内蔵したテレビジョン受像機に限らず、テレビジョン映像を受信・表示可能なパーソナルコンピュータや携帯通信端末などの様々な画像表示装置に適用することが可能である。
【図面の簡単な説明】
【００４５】
【図１】本発明の一実施形態における概略構成を示すブロック図である。
【図２】本発明の一実施形態における制御動作を示すフローチャートである。
【図３】本発明の一実施形態における制御動作を示す説明図である。
【図４】本発明の一実施形態における制御動作を示すフローチャートである。
【図５】本発明の一実施形態における他の制御動作を示す説明図である。
【図６】従来のテレビジョン受像機の概略構成を示すブロック図である。
【図７】インターネットブラウザ画面の表示例を示す説明図である。
【図８】電子メールブラウザ画面の表示例を示す説明図である。
【図９】ソフトウェキーボード画面の表示例を示す説明図である。
【符号の説明】
【００４６】
１  チューナ
２  テレビ信号処理部
３  インターネット処理部
４  リモコン受光部
５  マイコン
６  切換／合成処理部
７  ＬＣＤ駆動部
８  液晶表示パネル
９  光源駆動部
１０  光源
【図１】
2006215220.tif 000003
【図２】
2006215220.tif 000004
【図３】
2006215220.tif 000005
【図４】
2006215220.tif 000006
【図５】
2006215220.tif 000007
【図６】
2006215220.tif 000008
【図７】
2006215220.tif 000009
【図８】
2006215220.tif 000010
【図９】
2006215220.tif 000011